(57)【要約】【課題】外部カバーの開放操作に内部カバーの開放操作を連動させるための構成を、簡単な構成にて容易に実現する。【解決手段】本発明のカードリーダ１は、本体２の一つの面部の所定部位を覆う内部カバー７と、本体２の一つの面部を内部カバ７ーの上から覆う外部カバー６とを備えてなるものにおいて、外部カバー６の内面部に突片部１１を設けると共に、内部カバー７に突片部１１を挟持する挟持部１０を設け、外部カバー６を開放方向へ回動操作させたときに、内部カバー７が外部カバー６と連動して開放方向へ回動するように構成したものである。【選択図】図１
2008282141.tif 000002
【特許請求の範囲】
【請求項１】
本体と、前記本体の一つの面部の所定部位を覆うものであって、一方の辺部を支点として回動可能に設けられた内部カバーと、前記本体の一つの面部を前記内部カバーの上から覆うものであって、一方の辺部を支点として回動可能に設けられた外部カバーとを備えてなるカードリーダにおいて、
前記外部カバーの内面部に突片部を設けると共に、
前記内部カバーに前記突片部を挟持する挟持部を設け、
前記外部カバーを開放方向へ回動操作させたときに、前記内部カバーが前記外部カバーと連動して開放方向へ回動するように構成したことを特徴とするカードリーダ。
【請求項２】
前記内部カバーにおける前記挟持部の周囲に排水用の凹部を設けると共に、
前記凹部の最下部に排水口を設けたことを特徴とする請求項１記載のカードリーダ。
【請求項３】
前記内部カバーにおける前記挟持部の周囲に防水壁を設けると共に、
前記防水壁の外側に排水用の溝部を設けたことを特徴とする請求項１記載のカードリーダ。
【発明の詳細な説明】
【技術分野】
【０００１】
本発明は、本体の一つの面部の操作部を覆う防水用の内部カバーを備えると共に、本体の一つの面部を内部カバーの上から覆う外部カバーを備えたカードリーダに関する。
【背景技術】
【０００２】
この種のカードリーダ(例えば非接触式ＩＣカードを読み取るカードリーダ)においては、内部カバーはその一方の辺部を支点として回動可能に設けられていると共に、外部カバーもその一方の辺部を支点として回動可能に設けられている。この構成の場合、ユーザーが２つのカバーを開放するにあたっては、まず、外部カバーを回動操作して開放する。続いて、露出された内部カバー２を回動操作して開放する。
【特許文献１】特開平７−１５９８７５号公報
【発明の開示】
【発明が解決しようとする課題】
【０００３】
しかし、上記従来構成の場合、外部カバーを開放する操作と、内部カバーを開放する操作が必要であり、操作性が良いとはいえなかった。特に、内部カバーと外部カバーの間の隙間が狭いため、内部カバーに十分な大きさの摘みを設けることができず、内部カバーを開放する操作を実行し難いという不具合があった。
【０００４】
このような不具合を解消するために、外部カバーの開放操作に連動して内部カバーを開放させるように構成すれば、操作性が良くなる。外部カバーの開放操作に、内部カバーの開放操作を連動させる装置の一例として、特許文献１に記載された構成が知られている。しかし、特許文献１に記載された構成においては、外蓋（外部カバー）に中蓋（内部カバー）を連動させる構成として、かなり複雑な機構が必要であるという問題点があった。
【０００５】
そこで、本発明の目的は、外部カバーの開放操作に内部カバーの開放操作を連動させるための構成を、簡単な構成にて容易に実現することができるカードリーダを提供するにある。
【課題を解決するための手段】
【０００６】
請求項１の発明によれば、本体と、前記本体の一つの面部の所定部位を覆うものであって、一方の辺部を支点として回動可能に設けられた内部カバーと、前記本体の一つの面部を前記内部カバーの上から覆うものであって、一方の辺部を支点として回動可能に設けられた外部カバーとを備えてなるカードリーダにおいて、前記外部カバーの内面部に突片部を設けると共に、前記内部カバーに前記突片部を挟持する挟持部を設け、前記外部カバーを開放方向へ回動操作させたときに、前記内部カバーが前記外部カバーと連動して開放方向へ回動するように構成したので、外部カバーの開放操作に内部カバーの開放操作を連動させるための構成を、簡単な構成にて容易に実現することができる。
【０００７】
請求項２の発明によれば、前記内部カバーにおける前記挟持部の周囲に排水用の凹部を設けると共に、前記凹部の最下部に排水口を設けたので、水が前記挟持部に達することを防止できる。
【０００８】
請求項３の発明によれば、前記内部カバーにおける前記挟持部の周囲に防水壁を設けると共に、前記防水壁の外側に排水用の溝部を設けたので、水が前記挟持部に達することを防止できる。
【発明を実施するための最良の形態】
【０００９】
以下、本発明の第１の実施例について、図１ないし図１１を参照しながら説明する。まず、図１及び図２は、本実施例のカードリーダ１の全体構成を示す前面図及び側面図である。上記カードリーダ１は、例えば非接触式ＩＣカードを読み取る機能（リーダ機能）を有している。尚、カードリーダ１に、非接触式ＩＣカードにデータを書き込む機能（ライタ機能）を組み込むように構成しても良い。
【００１０】
カードリーダ１の本体２は、全体として矩形状に構成されており、図２に示すように、壁３に取り付けられるものである。この本体２の１つの面部である前面部には、テンキー等の各種のキーを有する操作部４と、非接触式ＩＣカードを近接させて読み取る読み取り部５が配設されている。
【００１１】
本体２の前面部は、操作部４を除いて、外部カバー６で覆われている。この外部カバー６は、一方の辺部である上辺部を支点として回動可能に且つ着脱可能に本体２に取り付けられている（尚、外部カバー６を取り付けるための具体的構成については後述する）。
【００１２】
また、図３は、外部カバー６を取り外した本体２の前面部を示す図である。この図３に示すように、本体２の前面部における外部カバー６で覆われた部分の中の所定部位である上部中央部分は、防水用の内部カバー７で覆われている。この内部カバー７は、一方の辺部である上辺部を支点として回動可能に本体２に設けられている。
【００１３】
内部カバー７は、図４に示すように、その上部両端部に突設された支持片部８、８に形成された軸孔８ａを、本体２に形成された軸部（図示しない）に嵌合することにより、本体２に回動可能に取り付けられている。内部カバー７の右部には、排水用の凹部９が形成されており、この凹部９内の右部には、挟持部１０が形成されている。挟持部１０は、図５（ａ）、（ｂ）に示すように、外部カバー６の内面部に突設された突片部１１を挟持する一対の挟持片１０ａ、１０ｂから構成されている。挟持片１０ａ、１０ｂの間は、貫通孔となっており、突片部１１が挿入される構成となっている。
【００１４】
上記構成の場合、内部カバー７における挟持部１０の周囲に排水用の凹部９が設けられる構成となっており、この凹部９の最下部が左右に広がった排水口９ａとなっている。これにより、水が内部カバー７にかかることがあっても、水は凹部９から排水口９ａへ流れることから、水が挟持部１０に達することを防止できる。
【００１５】
一方、図６、図７、図８に示すように、外部カバー６の上部には、係合爪部１２が形成されており、この係合爪部１２の先端部の爪１２ａを、図９に示すように、本体２に形成された係合凹部１３に係合させる構成となっている。外部カバー６の内面部の下部には、外部カバー６の本体２への取付け状態をロックするロック用のフック１４が形成されている。フック１４は、図１０に示すように、断面十字状に形成されており、本体２に形成された対抗する一対の係合爪部１５、１５に係合させる構成となっている。
【００１６】
上記構成の場合、外部カバー６を本体２に取り付けるに際しては、外部カバー６の上部の係合爪部１２の爪１２ａを、図９に示すように、本体２の係合凹部１３に係合させた後、外部カバー６を上辺部を支点として閉塞方向へ回動させ、外部カバー６のフック１４を、図１０に示すように、本体２の係合爪部１５、１５に上方から係合させる。これにより、外部カバー６の取り付けが完了する。このとき、外部カバー６の突片部１１が、図５に示すように、内部カバー７の挟持部１０の挟持片１０ａ、１０ｂの間に挿入されて挟持される構成となっている。
【００１７】
さて、外部カバー６を開放させる場合には、専用の道具を用いて、外部カバー６のフック１４と本体２の係合爪部１５、１５との係合状態（図１０参照）を解除する。この後、外部カバー６を、上辺部を回動支点として開放方向へ回動操作する。すると、外部カバー６の突片部１１が、図５に示すように、内部カバー７の挟持部１０の挟持片１０ａ、１０ｂの間に挟持されているので、外部カバー６の開放動作に連動して内部カバー７も上辺部を回動支点として開放方向へ回動する（図１１（ａ）、（ｂ）参照）。
【００１８】
そして、外部カバー６の開放方向へ回動操作を続けると、外部カバー６の上部の係合爪部１２の爪１２ａと、本体２の係合凹部１３との係合が解除され、図１１（ｃ）に示すように、外部カバー６が本体２から外れる。このとき、内部カバー７は、開放状態となる。
【００１９】
このような構成の本実施例によれば、外部カバー６の内面部に突片部１１を設けると共に、内部カバー７に前記突片部１１を挟持する挟持部１０を設け、外部カバー６を開放方向へ回動操作させたときに、内部カバー７が外部カバー６と連動して開放方向へ回動するように構成したので、外部カバー６の開放操作に内部カバー７の開放操作を連動させるための構成を、簡単な構成にて容易に実現することができる。
【００２０】
また、上記実施例においては、内部カバー７における挟持部１０の周囲に排水用の凹部９を設けると共に、凹部９の最下部に排水口９ａを設けたので、内部カバー７にかかった水が挟持部１０に達することを防止できる。
【００２１】
図１２及び図１３は、本発明の第２の実施例を示すものである。尚、第１の実施例と同一構成には、同一符号を付している。この第２の実施例では、図１２及び図１３に示すように、内部カバー７における挟持部１０の周囲を囲むように矩形枠状の防水壁１７を設けると共に、この防水壁１７の外側に排水用の溝部１８を設けた。そして、外部カバー６の内面に、上記溝部１８に嵌合する凸部１９を設けた。
【００２２】
尚、上述した以外の第２の実施例の構成は、第１の実施例の構成と同じ構成となっている。従って、第２の実施例においても、第１の実施例とほぼ同じ作用効果を得ることができる。特に、第２の実施例では、内部カバー７に防水壁１７と排水用の溝部１８を設けたので、内部カバー７にかかった水が挟持部１０に達することをより一層防止できる。更に、上記第２の実施例では、外部カバー６の内面に内部カバー７の溝部１８に嵌合する凸部１９を設けたので、防水性能をより一層高くすることができる。
【図面の簡単な説明】
【００２３】
【図１】本発明の第１の実施例を示すカードリーダの正面図
【図２】カードリーダの側面図
【図３】外部カバーを外した図１相当図
【図４】（ａ）は内部カバーの正面図、（ｂ）は内部カバーの側面図
【図５】（ａ）は内部カバーの挟持部に外部カバーの突片部を挟持させた状態を示す断面図、（ｂ）は（ａ）図中Ａ−Ａ線に沿う断面図
【図６】外部カバーの正面図
【図７】外部カバーの断面図
【図８】外部カバーの背面図
【図９】外部カバーの係合爪部と本体の係合凹部の係合状態を示す断面図
【図１０】外部カバーのユニットキー部と本体の係合爪部の係合状態を示す断面図
【図１１】外部カバーと内部カバーが連動して開放方向に回動する様子を示す断面図
【図１２】本発明の第２の実施例を示す図４（ａ）相当図
【図１３】図５（ｂ）相当図
【符号の説明】
【００２４】
図面中、１はカードリーダ、２は本体、３は壁、５は読み取り部、６は外部カバー、７は内部カバー、９は凹部、９ａは排水口、１０は挟持部、１０ａ、１０ｂは挟持片、１１は突片部、１２は係合爪部、１３は係合凹部、１４はフック、１５は係合爪部、１６はキー挿入口、１７は防水壁、１８は溝部を示す。
【図１】
2008282141.tif 000003
【図２】
2008282141.tif 000004
【図３】
2008282141.tif 000005
【図４】
2008282141.tif 000006
【図５】
2008282141.tif 000007
【図６】
2008282141.tif 000008
【図７】
2008282141.tif 000009
【図８】
2008282141.tif 000010
【図９】
2008282141.tif 000011
【図１０】
2008282141.tif 000012
【図１１】
2008282141.tif 000013
【図１２】
2008282141.tif 000014
【図１３】
2008282141.tif 000015